(57)【要約】 【課題】支柱であれコンクリート壁の壁面でも防音パネルを取り付ける構造が同じであり、同防音パネルの取付作業が容易で、事後のメンテナンス性に優れた防音壁および同防音壁の防音パネル取り付け方法およびレール付きパネル取付用部材を提供する。【解決手段】レール付きパネル取付用部材６は、防音パネル３の取付側へ突き出るレール部６１、６１を備え、レール部６１、６１の前面部に、パネル取付用ボルト４の頭部４ａを、上下方向へのスライドが可能に挿入できる、開口部を狭めた縦溝６３を有する。防音パネル３の左右の側部３０、３０にはパネル取付用ボルト４のねじ軸部4ｂを通すボルト孔３２が設けられている。レール部６１の縦溝６３へパネル取付用ボルト４の頭部４ａが通され、ねじ軸部４ｂはボルト止め用部材３０のボルト孔３２へ通され、ねじ軸部４ｂへナット５を締結して防音パネル３が取り付けられている。【選択図】図４
2011026898.tif 000002
【特許請求の範囲】
【請求項１】
構造体に沿って上下方向へレール付きパネル取付用部材を設置し、左右方向に隣り合うパネル取付用部材の間に防音パネルを取り付けて成る防音壁であって、
前記レール付きパネル取付用部材は、防音パネルの取付側へ突き出るレール部を備え、該レール部の前面部に、パネル取付用ボルトの頭部を、上下方向へのスライドが可能に挿入できる、開口部を狭めた縦溝を有し、
前記防音パネルの左右の側部には前記パネル取付用ボルトのねじ軸部を通すボルト孔が設けられており、
前記レール部の縦溝へパネル取付用ボルトの頭部が通され、同パネル取付用ボルトのねじ軸部は前記防音パネルのボルト孔へ通され、同ねじ軸部へナットを締結して防音パネルが取り付けられていることを特徴とする、防音壁。
【請求項２】
レール付きパネル取付用部材のレール部の縦溝は、パネル取付用ボルトの頭部を、回転は不能で上下方向へのスライドが可能に挿入できる形状であることを特徴とする、請求項１に記載した防音壁。
【請求項３】
防音パネルの左右の側部に設けたパネル取付用ボルトのねじ軸部を通すボルト孔は、長孔であることを特徴とする、請求項１又は２に記載した防音壁。
【請求項４】
レール付きパネル取付用部材は、構造体へ接する平板部と、同平板部の前面に防音パネルの取付側へ突き出る左右一対のレール部を設けた構成とされていることを特徴とする、請求項１〜３のいずれか一に記載した防音壁。
【請求項５】
レール付きパネル取付用部材が、構造体の表面側と裏面側に設置され、隣り合うレール付きパネル取付用部材の間に防音パネルが取り付けられて、構造体の表裏両側に配置されていることを特徴とする、請求項１〜４のいずれか一に記載した防音壁。
【請求項６】
防音パネルの左右の側部の表面側に、ボルト孔へ通したパネル取付用ボルトのねじ軸部にナットを回す工具を通す作業孔が設けられていることを特徴とする、請求項１〜５のいずれか一に記載した防音壁。
【請求項７】
構造体に沿って上下方向へレール付きパネル取付用部材を設置し、左右方向に隣り合うパネル取付用部材の間に防音パネルを取り付ける防音壁の防音パネル取り付け方法であって、
前記レール付きパネル取付用部材は、防音パネルの取付側へ突き出るレール部を備え、該レール部の前面部に、パネル取付用ボルトの頭部を、上下方向へのスライドが可能に挿入できる、開口部を狭めた縦溝を有し、
前記防音パネルの左右の側部には前記パネル取付用ボルトのねじ軸部を通すボルト孔を設けており、
前記防音パネルの左右の側部のボルト孔へ、パネル取付用ボルトを、その頭部を裏面側へ向け、ねじ軸部が前面側へ向く配置に通し、前記ねじ軸部にナットを仮止めして、同パネル取付用ボルトの頭部をパネル取付用部材のレール部の上端から縦溝へ挿入し、防音パネルを取り付け位置へ配置し、前記ナットを本締めして防音パネルを取り付けることを特徴とする、防音壁の防音パネル取り付け方法。
【請求項８】
構造体に沿って上下方向へレール付きパネル取付用部材を設置し、左右方向に隣り合うパネル取付用部材の間に防音パネルを取り付ける防音壁の防音パネル取り付け方法であって、
前記レール付きパネル取付用部材は、防音パネルの取付側へ突き出るレール部を備え、該レール部の前面部に、パネル取付用ボルトの頭部を、上下方向へのスライドが可能に挿入できる、開口部を狭めた縦溝を有し、
前記防音パネルの左右の側部には前記パネル取付用ボルトのねじ軸部を通すボルト孔を設けており、
前記防音パネルのパネル取付用部材のレール部の縦溝へ頭部を挿入し、ねじ軸部をパネル取り付側へ向けたパネル取付用ボルトのねじ軸部へ、防音パネルの左右の側部のボルト孔を前面側から通し、ナットで締結することにより防音パネルを取り付けることを特徴とする、防音壁の防音パネル取り付け方法。
【請求項９】
構造体へ防音パネルを取り付けて成る防音壁に使用するもので、同構造体に沿って設置されるレール付きパネル取付用部材であって、
構造体へ接する平板部と、同平板部の前面に防音パネルの取付側へ突き出るレール部とを備え、該レール部の前面部に、パネル取付用ボルトの頭部を、上下方向へのスライドが可能に挿入できる、開口部を狭めた縦溝を有する構成とされていることを特徴とする、レール付きパネル取付用部材。
【請求項１０】
平板部の前面に防音パネルの取付側へ突き出るレール部は、１個で構成されていることを特徴とする、請求項９に記載したレール付きパネル取付用部材。
【請求項１１】
平板部の前面に防音パネルの取付側へ突き出るレール部は、左右一対で構成されていることを特徴とする、請求項９に記載したレール付きパネル取付用部材。
【請求項１２】
左右一対のレール部は、縦溝の開口部を幅狭に形成するリップ部を備えており、同レール部の内側に位置する前記リップ部同士が共通部で連結されていることを特徴とする、請求項１１に記載したレール付きパネル取付用部材。
【請求項１３】
構造体へ防音パネルを取り付けて成る防音壁に使用するもので、同構造体に沿って設置されるレール付きパネル取付用部材であって、
構造体へ接する平板部と、同平板部の前面に防音パネルの取付側へ突き出る１個のレール部とを備え、該レール部の前面部に、パネル取付用ボルトの頭部を、上下方向へのスライドが可能に挿入できる、開口部を狭めた縦溝を有する構成とした、二つのレール付きパネル取付用部材片の平板部同士を重合状態に組み合わせて連結した構成であることを特徴とする、レール付きパネル取付用部材。
【請求項１４】
レール付きパネル取付用部材片の平板部には、ボルト通し孔が形成されており、二つのレール付きパネル取付用部材片のボルト通し孔が重なるように前記平板部同士を重合状態に組み合わせ、前記ボルト通し孔へボルトを通して連結されていることを特徴とする、請求項１３に記載されたレール付きパネル取付用部材。
【請求項１５】
レール部の縦溝は、パネル取付用ボルトの頭部を、回転は不能で上下方向へのスライドが可能に挿入できる形状であることを特徴とする、請求項９〜１４のいずれか一に記載したレール付きパネル取付用部材。
【発明の詳細な説明】
【技術分野】
【０００１】
この発明は、支柱、又はコンクリート壁面に沿ってレール付きパネル取付用部材を設置し、該レール付きパネル取付用部材へ防音パネル、遮音パネル、又は吸音パネル（以下、防音パネルと総称する。）を取り付けて、車両による騒音公害を防止する防音壁、及び同防音壁に使用するレール付きパネル取付用部材の技術分野に属し、更に云えば、支柱であれコンクリート壁の壁面でも防音パネルを取り付ける構造が同じであり、同防音パネルの取付作業が容易で、事後のメンテナンス性に優れた防音壁および同防音壁の防音パネル取り付け方法およびレール付きパネル取付用部材に関する。
【背景技術】
【０００２】
従来、支柱又はコンクリート壁へ沿って防音パネルを取り付けた防音壁は、例えば下記特許文献１〜４に開示されており、既に広く一般的に実施されている。
下記特許文献１に開示された防音壁は、コンクリート壁の壁面に同壁面の高さ方向に沿ってアンカーボルトが埋め込まれ、該アンカーボルトへパネル取付用部材が取り付けられており、該パネル取付用部材へコンクリート壁の高さ方向に沿って複数枚配置された防音パネルが周辺部を止めねじで取り付けられた構成である。
下記特許文献２に開示された防音壁は、コンクリート壁の壁面に同壁面の高さ方向に沿ってアンカーボルトが埋め込まれており、該アンカーボルトへ通した２つの座金で、介装板と防音パネルの両側端部に設けられた側枠とを挟み、同座金を前記アンカーボルトにねじ込んだナットで締め付けることにより、前記防音パネルが取り付けられた構成である。
この防音壁は、中間位置の防音パネルが破損しても、同破損した防音パネルだけを取付部材から取り外して新しい防音パネルに取り替えることができるので、メンテナンス性には優れている。
また、下記特許文献３に開示された防音壁は、間隔をあけて設置したＨ型鋼で成る支柱間に防音パネルを設置し、同防音パネルの左右の側部を前記支柱のウェブへボルト止めした構成である。上記特許文献１及び２の防音壁と同様、一部の防音パネルが破損しても、該破損した防音パネルだけを取付部材から取り外して新しい防音パネルに取り替えることができるので、メンテナンス性に優れている。
下記特許文献４に開示された防音壁は、間隔をあけて設置したＨ型鋼で成る支柱間に防音パネルを設置した構成である。前記防音パネルは、縦縁部を支柱の上端から凹部内へ落とし込み、上下方向に複数枚積み重ねて設置される。
【先行技術文献】
【特許文献】
【０００３】
【特許文献１】実開昭４９−８１７３３号公報
【特許文献２】実開昭５２−１４３８１８号公報
【特許文献３】特開２００６−７０６５７号公報
【特許文献４】特開平９−１５１４１８号公報
【発明の概要】
【発明が解決しようとする課題】
【０００４】
上記特許文献１及び２に開示された防音壁は、コンクリート壁の壁面に埋め込んだアンカーボルトへ取り付けたパネル取付用部材へ防音パネルの左右の側部を取り付けるため、同防音パネルの大きさや取り付け位置は、アンカーボルトの埋め込み箇所や位置によって決定される。つまり、コンクリート内部の鉄骨や鉄筋、或いは配管や扉等の存在でアンカーボルトの埋め込み位置が制限されるので、ひいては防音パネルの大きさや設置位置が制限される不都合がある。
特許文献３に開示された防音壁は、Ｈ型鋼で成る支柱に、防音パネルの左右の側部と前記支柱とに共通のボルト孔を設ける必要があり、製造に手間とコストが掛かる。また、前記ボルト孔の位置によって、設置する防音パネルの大きさが制限される不都合がある。
特許文献４に開示された防音壁は、防音パネルの縦縁部を支柱の上端面から凹部へ落とし込む構成なので、異なる高さ寸法の防音パネルであっても前記支柱へ取り付けることができる。しかし、中間位置の防音パネルが破損すると、その破損した防音パネルだけを取付部材から取り外して取り替えることができず、上位の防音パネルも順に取り外さなければならないので、メンテナンス作業に手間と時間が掛かり面倒である。
【０００５】
ところで、上述したように、支柱とコンクリート壁とでは、防音パネルを取り付ける構造がそれぞれ異なる。この取付構造が同じ構成であれば、１つの作業手順に平準化して防音パネルを取り付けることができ、取付作業が容易になるし、部品点数も減らすことができるので、コストも削減ですることができる。しかし、支柱、及びコンクリート壁の壁面へ防音パネルを取り付ける構造を同じ構成、同じ作業手順とした防音壁は、未だ見聞されない。
【０００６】
そこで、本発明の目的は、構造体として、例えば支柱やコンクリート壁の壁面へ防音パネルを取り付ける構造が同じで、取付作業の平準化が可能であり、更に部品点数を減らして製造コストを削減することができる防音壁および同防音壁の防音パネル取り付け方法およびレール付きパネル取付用部材を提供する。
本発明の次の目的は、構造体として、例えば傾斜地に立設した支柱や、傾斜地に構築したコンクリート壁の壁面へ、平坦地（水平地面）で使用される長方形状の防音パネルをそのまま使用して、傾斜地面に沿った傾斜姿勢に取り付けることができる防音壁および同防音壁の防音パネル取り付け方法およびレール付きパネル取付用部材を提供する。
【課題を解決するための手段】
【０００７】
上記従来技術の課題を解決するための手段として、請求項１に記載した発明に係る防音壁は、
構造体に沿って上下方向へレール付きパネル取付用部材を設置し、左右方向に隣り合うパネル取付用部材の間に防音パネルを取り付けて成る防音壁であって、
前記レール付きパネル取付用部材は、防音パネルの取付側へ突き出るレール部を備え、該レール部の前面部に、パネル取付用ボルトの頭部を、上下方向へのスライドが可能に挿入できる、開口部を狭めた縦溝を有し、
前記防音パネルの左右の側部には前記パネル取付用ボルトのねじ軸部を通すボルト孔が設けられており、
前記レール部の縦溝へパネル取付用ボルトの頭部が通され、同パネル取付用ボルトのねじ軸部は前記防音パネルのボルト孔へ通され、同ねじ軸部へナットを締結して防音パネルが取り付けられていることを特徴とする。
【０００８】
請求項２に記載した発明は、請求項１に記載した防音壁において、
レール付きパネル取付用部材のレール部の縦溝は、パネル取付用ボルトの頭部を、回転は不能で上下方向へのスライドが可能に挿入できる形状であることを特徴とする。
【０００９】
請求項３に記載した発明は、請求項１又は２に記載した防音壁において、
防音パネルの左右の側部に設けたパネル取付用ボルトのねじ軸部を通すボルト孔は、長孔であることを特徴とする。
【００１０】
請求項４に記載した発明は、請求項１〜３のいずれか一に記載した防音壁において、
レール付きパネル取付用部材は、構造体へ接する平板部と、同平板部の前面に防音パネルの取付側へ突き出る左右一対のレール部を設けた構成とされていることを特徴とする。
【００１１】
請求項５に記載した発明は、請求項１〜４のいずれか一に記載した防音壁において、
レール付きパネル取付用部材が、構造体の表面側と裏面側に設置され、隣り合うレール付きパネル取付用部材の間に防音パネルが取り付けられて、構造体の表裏両側に配置されていることを特徴とする。
【００１２】
請求項６に記載した発明は、請求項１〜５のいずれか一に記載した防音壁において、
防音パネルの左右の側部の表面側に、ボルト孔へ通したパネル取付用ボルトのねじ軸部にナットを回す工具を通す作業孔が設けられていることを特徴とする。
【００１３】
請求項７に記載した発明に係る防音壁の防音パネル取り付け方法は、
構造体に沿って上下方向へレール付きパネル取付用部材を設置し、左右方向に隣り合うパネル取付用部材の間に防音パネルを取り付ける防音壁の防音パネル取り付け方法であって、
前記レール付きパネル取付用部材は、防音パネルの取付側へ突き出るレール部を備え、該レール部の前面部に、パネル取付用ボルトの頭部を、上下方向へのスライドが可能に挿入できる、開口部を狭めた縦溝を有し、
前記防音パネルの左右の側部には前記パネル取付用ボルトのねじ軸部を通すボルト孔を設けており、
前記防音パネルの左右の側部のボルト孔へ、パネル取付用ボルトを、その頭部を裏面側へ向け、ねじ軸部が前面側へ向く配置に通し、前記ねじ軸部にナットを仮止めして、同パネル取付用ボルトの頭部をパネル取付用部材のレール部の上端から縦溝へ挿入し、防音パネルを取り付け位置へ配置し、前記ナットを本締めして防音パネルを取り付けることを特徴とする。
【００１４】
請求項８に記載した発明に係る防音壁の防音パネル取り付け方法は、
構造体に沿って上下方向へレール付きパネル取付用部材を設置し、左右方向に隣り合うパネル取付用部材の間に防音パネルを取り付ける防音壁の防音パネル取り付け方法であって、
前記レール付きパネル取付用部材は、防音パネルの取付側へ突き出るレール部を備え、該レール部の前面部に、パネル取付用ボルトの頭部を、上下方向へのスライドが可能に挿入できる、開口部を狭めた縦溝を有し、
前記防音パネルの左右の側部には前記パネル取付用ボルトのねじ軸部を通すボルト孔を設けており、
前記防音パネルのパネル取付用部材のレール部の縦溝へ頭部を挿入し、ねじ軸部をパネル取り付側へ向けたパネル取付用ボルトのねじ軸部へ、防音パネルの左右の側部のボルト孔を前面側から通し、ナットで締結することにより防音パネルを取り付けることを特徴とする。
【００１５】
請求項９に記載した発明に係るレール付きパネル取付用部材は、
構造体へ防音パネルを取り付けて成る防音壁に使用するもので、同構造体に沿って設置されるレール付きパネル取付用部材であって、
構造体へ接する平板部と、同平板部の前面に防音パネルの取付側へ突き出るレール部とを備え、該レール部の前面部に、パネル取付用ボルトの頭部を、上下方向へのスライドが可能に挿入できる、開口部を狭めた縦溝を有する構成とされていることを特徴とする。
【００１６】
請求項１０に記載した発明は、請求項９に記載したレール付きパネル取付用部材において、
平板部の前面に防音パネルの取付側へ突き出るレール部は、１個で構成されていることを特徴とする。
【００１７】
請求項１１に記載した発明は、請求項９に記載したレール付きパネル取付用部材において、
平板部の前面に防音パネルの取付側へ突き出るレール部は、左右一対で構成されていることを特徴とする。
【００１８】
請求項１２に記載した発明は、請求項１１に記載したレール付きパネル取付用部材において、
左右一対のレール部は、縦溝の開口部を幅狭に形成するリップ部を備えており、同レール部の内側に位置する前記リップ部同士が共通部で連結されていることを特徴とする。
【００１９】
請求項１３に記載した発明に係るレール付きパネル取付用部材は、
構造体へ防音パネルを取り付けて成る防音壁に使用するもので、同構造体に沿って設置されるレール付きパネル取付用部材であって、
構造体へ接する平板部と、同平板部の前面に防音パネルの取付側へ突き出る１個のレール部とを備え、該レール部の前面部に、パネル取付用ボルトの頭部を、上下方向へのスライドが可能に挿入できる、開口部を狭めた縦溝を有する構成とした、二つのレール付きパネル取付用部材片の平板部同士を重合状態に組み合わせて連結した構成であることを特徴とする。
【００２０】
請求項１４に記載した発明は、請求項１３に記載したレール付きパネル取付用部材において、
レール付きパネル取付用部材片の平板部には、ボルト通し孔が形成されており、二つのレール付きパネル取付用部材片のボルト通し孔が重なるように前記平板部同士を重合状態に組み合わせ、前記ボルト通し孔へボルトを通して連結されていることを特徴とする。
【００２１】
請求項１５に記載した発明は、請求項９〜１４のいずれか一に記載したレール付きパネル取付用部材において、
レール部の縦溝は、パネル取付用ボルトの頭部を、回転は不能で上下方向へのスライドが可能に挿入できる形状であることを特徴とする。
【発明の効果】
【００２２】
請求項１〜６に係る防音壁、および請求項７及び８に係る防音壁の防音パネル取り付け方法は、レール付きパネル取付用部材６を構造体に設置し、同レール付きパネル取付用部材６へ防音パネル３を取り付ける構成で、前記防音パネル３の取付作業の平準化を可能にしたので、前記構造体が支柱８であれコンクリート壁７の壁面でも防音パネル３を取り付ける構造が同じであり、取付作業が容易であるし、更に同じ部材で構成されているから部品点数を減らして製造コストを削減することができる。
また、平坦地（水平地面）で使用される長方形状の防音パネル３の左右の側部３０、３０には、パネル取付用ボルト４のねじ軸部４ｂを通すボルト孔３２を長孔として設け、前記ねじ軸部４ｂが傾斜方向へ自由に移動できる構成としたので、例えば傾斜地に立設した支柱８や、傾斜地に構築したコンクリート壁７の壁面へ、前記長方形状の防音パネル３をそのまま使用して、傾斜地面に沿った傾斜姿勢に取り付けることができる。
【００２３】
請求項９〜１５に係るレール付きパネル取付部材は、構造体へ接する平板部６０と、同平板部６０の前面に防音パネル３の取付側へ突き出るレール部６１とを備え、該レール部６１の前面部に、パネル取付用ボルト４の頭部４ａを、回転は不能で上下方向へのスライドが可能に挿入できる、開口部を狭めた縦溝６３を有する構成なので、高さ寸法や形状が異なる防音パネル３同士を容易に取り付けることができるし、例えば中間位置の防音パネル３が破損しても、パネル取付用部材６の縦溝６３内に挿入されたパネル取付用ボルト４のねじ軸部４ｂのナット５を取り外せば、破損した防音パネル３だけを容易に取り外すことができ、その後は新しい防音パネル３に取り替えることができるので、事後のメンテナンス性に優れている。
また、構造体としてコンクリート壁７の壁面に防音パネル３を取り付ける場合、パネル取付用部材６をコンクリート内部の鉄骨や鉄筋、或いは配管や扉等を避けた位置に設置しても、防音パネル３は、パネル取付用部材６の縦溝６３内に挿入して取り付ける構成なので、同防音パネル３の設置位置が前記鉄骨等に制限されることがない。
【図面の簡単な説明】
【００２４】
【図１】本発明に係る防音壁の側面図である。
【図２】図１のＡ線矢視図である。
【図３】防音パネルを示す斜視図である。
【図４】コンクリート壁の壁面へ防音パネルを取り付ける構成を分解して示す部分拡大斜視図である。
【図５】図２のＶ部拡大斜視図である。
【図６】図２のＶＩ部拡大図である。
【図７】コンクリート壁の壁面へ防音パネルを取り付けた部分を示す平断面図である。
【図８】支柱へ防音パネルを取り付ける構成を分解して示す部分拡大斜視図である。
【図９】支柱へ防音パネルを取り付けた部分を示す平断面図である。
【図１０】レール付きパネル取付用部材の異なる実施例を示す平断面図である。
【図１１】レール付きパネル取付用部材の異なる実施例を示す平断面図である。
【図１２】レール付きパネル取付用部材の異なる実施例を示す斜視図である。
【図１３】傾斜地に立設した支柱間に防音パネルを取り付けて構成した防音壁を示す正面図である。
【図１４】図１３のＸＩＶ部拡大図である。
【図１５】傾斜地に立設した支柱間に防音パネルを取り付けて構成した防音壁の異なる実施形態を示す正面図である。
【図１６】傾斜地に構築したコンクリート壁の壁面へ防音パネルを取り付けて構成した防音壁を示す正面図である。
【発明を実施するための形態】
【００２５】
本発明の防音壁に用いるレール付きパネル取付用部材６は、防音パネル３の取付側へ突き出るレール部６１を備え、該レール部６１の前面部に、パネル取付用ボルト４の頭部４ａを、上下方向へのスライドが可能に挿入できる、開口部を狭めた縦溝６３を有する。防音パネル３の左右の側部３０、３０には前記パネル取付用ボルト４のねじ軸部4ｂを通すボルト孔３２を設ける。レール部６１の縦溝６３へパネル取付用ボルト４の頭部４ａを通し、同パネル取付用ボルト４のねじ軸部４ｂを防音パネル３のボルト孔３２へ通し、同ねじ軸部４ｂへナット５を締結して防音パネル３を取り付けた構成とする。
【００２６】
本発明の防音壁の防音パネル取り付け方法は、防音パネル３の左右の側部３０、３０のボルト孔３２へ、パネル取付用ボルト４を、その頭部４ｂを裏面側へ向けて突き出し、ねじ軸部４ｂが前面側へ突き出る配置に通し、前記ねじ軸部４ｂにナット５を仮止めして、同パネル取付用ボルト４の頭部４ａをパネル取付用部材６のレール部６１の上端から縦溝６３へ挿入し、防音パネル３を取り付け位置へ配置し、ナット５を本締めして防音パネル３を取り付ける。
【００２７】
本発明のレール付きパネル取付用部材６は、支柱８、又はコンクリート壁７の壁面へ接する平板部６０と、防音パネル３の取付側に突き出る左右一対のレール部６１、６１とを備え、該レール部６１の前面部に、パネル取付用ボルト４の頭部４ｂを上下方向へのスライドが可能に挿入できる、開口部を狭めた縦溝６３を有する構成とする。
【実施例１】
【００２８】
以下に、本発明に係る防音壁、及び同防音壁の防音パネル取り付け構造、及びレール付きパネル取付用部材を、図示した実施例に基づいて説明する。
図１及び２に示す防音壁１及び２は、地面に構築された高さが約２ｍのコンクリート壁７と、同コンクリート壁７の上端面に設けられた取付金具７２によってコンクリート壁７の上端から上方へ立設された高さが約１ｍの支柱８とに、図３で示す防音パネル３…を取り付けた構成であり、例えば車両等による騒音公害を防止するために使用される。
なお、支柱８の上方部分であって、上位の防音パネル３の上端部には、後述する本実施例のレール付きパネル取付用部材６を用いて音響回析９が取り付けられている。
【００２９】
先ず、前記コンクリート壁７の壁面に防音パネル３を取り付けた防音壁１について説明する。
この防音壁１は、コンクリート壁７の壁面の高さ方向に沿って、上下方向のレール付きパネル取付用部材６を図１に示す実施例では正面側（図面の右側）に設置し、図２に示すように、左右方向に隣り合う同レール付きパネル取付用部材６、６の間に防音パネル３を前記コンクリート壁７の高さ方向に４枚取り付けた構成である。
【００３０】
上記レール付きパネル取付用部材６は、図４〜７に拡大して示すように、前記コンクリート壁７の壁面へ接する鉛直方向に細長い平板部６０と、同平板部６０の前面に防音パネル３の取付側へ突き出る左右一対のレール部６１、６１とを備え、該レール部６１の前面部に、四角ボルトで成るパネル取付用ボルト４の頭部４ａを回転は不能で上下方向へのスライド可能に挿入できる、開口部を狭めた縦溝６３を有している。なお、パネル取付用ボルト４は、図示した四角ボルトに限定されない。前記四角ボルト以外に、例えば六角ボルトや八角ボルト等であっても同様に実施できる。
このレール付きパネル取付用部材６は、アルミ押出成形により一体成形することで簡便に製造できる。その他、例えばプレス加工又はロール加工でも製造することができる。
なお、前記レール付きパネル取付用部材６は、前記平板部６０とレール部６１、６１とをそれぞれ独立して製造した後に組み立てる構成で製造してもよい。長期間の使用等でレール部６１が破損しても、同破損したレール部６１だけを平板部６０から取り外して、新しいレール部６１に取り替えることができるので、メンテナンス性に優れている。
前記レール付きパネル取付用部材６は、コンクリート壁７の高さ方向に沿って先端部を外方へ突き出させて埋め込んだアンカーボルト７０の前記先端部へ、平板部６０に設けたボルト通し孔を通し、該アンカーボルト７０の先端部にナット７１を締め付けることにより、コンクリート壁７の壁面へ設置される。
【００３１】
上記レール付きパネル取付用部材６の異なる実施形態を図１０及び図１１に示す。
図１０に示すレール付きパネル取付用部材６は、左右一対のレール部６１、６１に形成された縦溝６３、６３のうち、開口部を幅狭にするリップ部６４、６４の内側に位置するもの同士を共通部６５で連結された構成である。このレール付きパネル取付用部材６もアルミ押出成形、プレス加工又はロール加工により製造することができる。
【００３２】
図１１に示すレール付きパネル取付用部材６は、コンクリート壁７の壁面へ接する鉛直方向に細長い平板部６０と、同平板部６０の前面に防音パネル３の取付側に突き出る１個のレール部６１とを備え、同レール部６１の前面部に、パネル取付用ボルト４の頭部４ｂを回転は不能で上下方向へのスライドが可能に挿入できる、開口部を狭めた縦溝６３を有する構成とした二つのレール付きパネル取付用部材片６ａ、６ａの平板部６０、６０同士を重合状態に組み合わせて連結した構成である。具体的には、図１２に示すように、各レール付きパネル取付部材片６ａには平板部６０にボルト通し孔６５が形成されており、二つのレール付きパネル取付用部材片６ａ、６ａのボルト通し孔６５、６５が重なるように前記平板部６０、６０同士を重合状態に組み合わせ、図１１に示すように、前記ボルト通し孔６５、６５へコンクリート壁７に埋め込んだアンカーボルト７０の先端部を通して、同先端部をナット７１で締め付けて連結することにより、レール付きパネル取付用部材６がコンクリート壁７の壁面へ設置される。前記平板部６０のボルト通し孔６５を斜め横方向への長い切り込み形状とすれば、レール付きパネル取付用部材６の左右方向の寸法を調整することができ、防音パネル３の取付作業を容易にすることができるし、一方のレール付きパネル取付用部材片６ａが破損しても、同破損したレール付きパネル取付用部材片６ａだけを取り外して取り替えることができるので、メンテナンス性に優れている。
【００３３】
なお、防音壁１の両端部に設置するレール付きパネル取付用部材６、６は、コンクリート壁７の壁面へ接する平板部６０と、同平板部６０の前面に防音パネル３の取付側に突き出る１個のレール部６１を備え、該レール部６１の前面部に、パネル取付用ボルト４の頭部４ａを回転は不能で上下方向へのスライド可能に挿入できる、開口部を狭めた縦溝６３を有する構成のものを使用する。
【００３４】
上記防音パネル３は、図２及び図３に示すように、一例として、縦×横が５０ｃｍ×２００ｃｍ程度の横方向に長い長方形状を成し、厚さが５５ｍｍ程度である。図２に示す正面方向から見ると多数の横長孔が規則正しく形成された鋼板と、同鋼板の裏面に設けた車両等による騒音を吸収する吸音材３４とで構成されている。
前記防音パネル３の左右の側部３０、３０は、平面的に見ると上記吸音材３４の厚さと等しい幅寸のコ字形材３３を裏当てして形成され、該防音パネル３を上記レール付きパネル取付用部材６へ取付る側には、図４に示すように、前記パネル取付用ボルト４のねじ軸部４ｂを通すボルト孔３２が設けられている。同防音パネル３の左右の側部３０の表面側には、図６に示すように、前記ボルト孔３２へ通したパネル取付用ボルト４のねじ軸部４ｂへナット５を回すレンチの如き工具を通す大きさの切り欠き形状（但し、長孔でも可）の作業孔３１が、同左右の側部３０、３０の高さ方向に沿って複数形成されている。但し、図示した防音パネルの左右の側部３０、３０は、平面的に見て左右方向に開口を有するコ字形材３３を用いた実施例を示すが、例えば、平面的に見てＬ字形材を用いた場合には、前記作業孔３１を設ける必要はない。
【００３５】
この防音パネル３は、同防音パネル３の左右の側部３０、３０のボルト孔３２へ、パネル取付用ボルト４の頭部４ａが裏面側へ向き、ねじ軸部４ｂが前方へ突き出る配置に通されナット５を仮止めした後、例えば作業員の手によって或いはクレーン等を用いてレール付きパネル取付用部材６の上端まで持ち上げられ、図５に示すように、同パネル取付用ボルト４の頭部４ａをパネル取付用部材６のレール部６１の上端から縦溝６３へ挿入して上記作業孔３１からナット５を本締めしてコンクリート壁７の壁面へ取り付けられている。前記防音パネル３のボルト孔３２へねじ軸部４ｂを通したパネル取付用ボルト４は、防音パネル３の正面側から前記ねじ軸部４ｂにナット５を締めつける構成なので、施工後に前記作業孔３１からナット５が緩んでいないかどうか、その締め付け具合を容易に確認することができる。
【００３６】
つまり、上記のようにコンクリート壁７の壁面に防音パネル３を取り付ける場合、パネル取付用部材６をコンクリート内部の鉄骨や鉄筋、或いは配管や扉等を避けた位置に設置しても、防音パネル３は、パネル取付用部材６の縦溝６３内にパネル取付用ボルト４の頭部４ａを挿入して取り付ける構成なので、パネル取付用部材６のレール部６１に沿って上下にスライド可能であり、同防音パネル３の設置位置が前記鉄骨等に制限されることがない。
【００３７】
なお、上記防音パネル３をコンクリート壁７の壁面へ取り付ける異なる実施形態として、パネル取付用ボルト４の頭部４ａをパネル取付用部材６の縦溝６３内に挿入した後、前記パネル取付用ボルト４のねじ軸部４ｂを、防音パネル３の左右の側部３０、３０のボルト孔３２へ通しナット５をねじ込み締結することにより防音パネル３を取り付ける構成で実施することもできる。
【００３８】
次に、前記支柱８に防音パネル３取り付けた構成の防音壁２について説明する。
この防音壁２は、図１及び２に示すように、鋼管で成る支柱８であって表面側及び裏面側に沿って、上下方向へのレール付きパネル取付用部材６が設けられ、同レール付きパネル取付用部材６、６間に防音パネル３を支柱８の高さ方向に２枚ずつ取り付けた構成である。なお、図示することは省略したが、前記支柱８は鋼管に限定されず、例えばＨ形鋼で構成することもできる。
【００３９】
上記パネル取付用部材６の具体的な構成は、図８及び９に示すように、上記コンクリート壁７の壁面に設置するパネル取付用部材６と同じ構成のものを使用する。即ち、支柱８に接する鉛直方向に細長い平板部６０と、同平板部６０の前面に防音パネルの取り付け側へ突き出る左右一対のレール部６１とを備え、該レール部６１の前面部には、パネル取付用ボルト４の頭部４ａを回転は不能で上下方向へのスライド可能に挿入できる、開口部を狭めた縦溝６３を有する構成である。但し、図１０及び図１１に示したパネル取付用部材６を使用することもできる。
支柱８の表面側と裏面側とに沿ってそれぞれ配置したレール付きパネル取付用部材６は、支柱８の表面側と裏面側とにそれぞれ設けたボルト通し孔８０、８０と、同ボルト通し孔８０、８０と共通に位置するように設けたレール付きパネル取付用部材６の平板部６０のボルト通し孔６２、６２へ、同支柱８を裏面側から表面側へボルト８１のねじ軸部８１ａを通し、該ねじ軸部８１ａの先端部へナット８２を締め付けることにより、支柱８の表面側と裏面側へ取り付けられる。
【００４０】
上記防音パネル３を支柱８に設置したパネル取付用部材６へ取り付ける構成は、上述したコンクリート壁７の壁面に設置したパネル取付用部材６へ取り付ける構成と同じである。即ち、防音パネル３の左右の側部３０、３０のボルト孔３２へ、パネル取付用ボルト４の頭部４ａが裏面側へ向き、ねじ軸部４ｂを前面側へ向く配置に通してナット５を仮止めした後、例えば作業員の手によって或いはクレーン等を用いてレール付きパネル取付用部材６の上端まで持ち上げられ、同パネル取付用ボルト４の頭部４ａをパネル取付用部材６のレール部６１の上端から縦溝６３へ挿入して前記ナット５を本締めして支柱８へ取り付ける。
【００４１】
もちろん、パネル取付用ボルト４の頭部４ａをパネル取付用部材６の縦溝６３内に挿入した後、同パネル取付用ボルト４のねじ軸部４ｂを、防音パネル３の左右の側部３０、３０のボルト孔３２へ通しナット５をねじ込み締結することにより防音パネル３を取り付ける構成で実施することもできる。
【００４２】
したがって、本実施例の防音壁１及び２は、前記防音パネル３の取付作業の平準化を可能にしたので、支柱８であれコンクリート壁７の壁面でも防音パネル３を取り付ける構造が同じであり、取付作業が容易であるし、同じ部材で構成されているから部品点数を減らして製造コストを削減することができる。
【００４３】
本実施例のレール付きパネル取付用部材６は、高さ寸法や形状が異なる防音パネル３同士を容易に取り付けることができるし、例えば中間位置の防音パネル３が破損しても、パネル取付用部材６の縦溝６３内に挿入されたパネル取付用ボルト４のねじ軸部４ｂのナット５を外せば、破損した防音パネル３だけを容易に取り外すことができ、その後は新しい防音パネル３に取り替えることができるので、事後のメンテナンス性に優れている。
【実施例２】
【００４４】
次に、傾斜地に設置した支柱８や傾斜地に構築したコンクリート壁７の壁面へ防音パネル３を取り付けて成る防音壁について説明する。なお、レール付きパネル取付用部材６、及び防音パネル３の構成、及び防音パネル３をレール付きパネル取付用部材６へ取り付ける方法の詳細な説明において、実施例１で説明した内容と重複する内容は省略する。
図１３に示す防音壁１は、傾斜角が水平方向に対して１０度程度の傾斜地へ鉛直に立設した高さが約２ｍ程度の支柱８であって表面側と裏面側に沿って鉛直方向へそれぞれレール付きパネル取付用部材６を設置し、隣り合うレール付きパネル取付用部材６、６の間に、防音パネル３を傾斜地面に沿った傾斜姿勢に取り付けた構成であり、例えば車両等による騒音公害を防止するために使用される。
【００４５】
本実施例の防音パネル３は、平坦地（水平地面）で使用される長方形状の防音パネルである。即ち、図３に示すように、一例として、縦×横が５０ｃｍ×２００ｃｍ程度の横方向に長い長方形状で、厚さが５５ｍｍ程度である。前記防音パネル３の特徴は、図１４に示すように、防音パネルの左右の側部３０、３０に設けたパネル取付用ボルト４のねじ軸部４ｂを通すボルト孔３２が、前記防音パネル３の長手方向に長い長孔（一例として３ｃｍ程度）とし、同防音パネル３の左右の側部３０、３０の中間部分に１箇所設けている。
したがって、防音パネル３の左右の側部３０、３０のボルト孔３２へ通したパネル取付用ボルト４のねじ軸部４ｂは、傾斜方向へ自由に移動でき、長方形状の防音パネル３を傾斜地面に沿った傾斜姿勢に取り付けることができる。
【００４６】
なお、図１５に示すように、傾斜角が水平方向に対して５度程度の傾斜地では、防音パネル３の左右の側部３０、３０の長孔３２を、上下に２箇所設け、各長孔３２へパネル取付用ボルト４のねじ軸部４ｂを通した構成とすることにより、レール付きパネル取付用部材６へ取り付けた防音パネル３は、しっかりと安定させた状態で取り付けることができる。
【００４７】
図１６に示す防音壁２は、傾斜地に構築したコンクリート壁７の壁面に防音パネル３を取り付けた構成である。即ち、パネル取付用ボルト４のねじ軸部４ｂを通すボルト孔３２を防音パネル３の長手方向に長い長孔としているので、前記ねじ軸部４ｂが傾斜方向へ自由に移動でき、前記長方形状の防音パネル３を傾斜地面に沿った傾斜姿勢に取り付けることができる。
【００４８】
以上に実施形態を図面に基づいて説明したが、本発明は、図示例の実施形態の限りではなく、その技術的思想を逸脱しない範囲において、当業者が通常に行う設計変更、応用のバリエーションの範囲を含むことを念のために言及する。
【符号の説明】
【００４９】
１    防音壁
２    防音壁
３    防音パネル
３０  側部
３１  作業孔
４    パネル取付用ボルト
４ａ  ボルト頭部
４ｂ  ねじ軸部
５    ナット
６    レール付きパネル取付用部材
６ａ  レール付きパネル取付用部材片
６０  平板部
６１  レール部
６３  縦溝
７    コンクリート壁
８    支柱
【図１】
2011026898.tif 000003
【図２】
2011026898.tif 000004
【図３】
2011026898.tif 000005
【図４】
2011026898.tif 000006
【図５】
2011026898.tif 000007
【図６】
2011026898.tif 000008
【図７】
2011026898.tif 000009
【図８】
2011026898.tif 000010
【図９】
2011026898.tif 000011
【図１０】
2011026898.tif 000012
【図１１】
2011026898.tif 000013
【図１２】
2011026898.tif 000014
【図１３】
2011026898.tif 000015
【図１４】
2011026898.tif 000016
【図１５】
2011026898.tif 000017
【図１６】
2011026898.tif 000018